(57)【要約】【課題】器具本体の天面の異物が溜まり難くすること。【解決手段】器具本体２を支柱４に支持し、前記器具本体２が路面を照明する道路灯１において、前記器具本体２は、後端部２Ｂよりも前端部２Ｆが高くなる所定の仰角θで前記支柱４に支持され、前記器具本体２の天面８Ａには、当該器具本体２の幅方向に延びる複数のフィン５２が設けられ、前記フィン５２のそれぞれは、前記器具本体２の器具中心軸Ｋに近い側の端部５２Ａに対し遠い側の端部５２Ｂが前記器具本体２の後端部２Ｂの側に位置する角度βで前記器具中心軸Ｋに対して傾斜している構成とした。【選択図】図７
2019012591.tif 000002
【特許請求の範囲】
【請求項１】
器具本体を支柱に支持し、前記器具本体が照明する照明器具において、
前記器具本体は、後方の端部よりも前方の端部が高くなる所定の仰角で前記支柱に支持され、
前記器具本体の天面には、当該器具本体の幅方向に延びる複数のフィンが設けられ、
前記フィンのそれぞれは、前記器具本体の器具中心軸に近い側の端部に対し遠い側の端部が前記器具本体の後方に位置する角度で前記器具中心軸に対して傾斜している
ことを特徴とする照明器具。
【請求項２】
前記器具本体の天面は、平らな表面を有し、当該表面に複数の前記フィンが設けられている、ことを特徴とする請求項１に記載の照明器具。
【請求項３】
前記表面には、前記器具中心軸を挟み隙間をあけた両側のそれぞれに、複数の前記フィンが前後方向に互いに平行に並べて設けられている、
ことを特徴とする請求項２に記載の照明器具。
【請求項４】
前記器具本体の天面は、上方に突出した突出部を前記表面の後方に備え、
前記突出部と前記表面との境の壁面が、前記器具本体の幅方向に延びている、ことを特徴とする請求項３に記載の照明器具。
【請求項５】
半導体光源を有する半導体光源ユニットを備え、
前記表面の裏側に前記半導体光源ユニットが配置されている、
ことを特徴とする請求項１〜４のいずれかに記載の照明器具。
【発明の詳細な説明】
【技術分野】
【０００１】
本発明は、照明器具に関する。
【背景技術】
【０００２】
従来、支柱の先端に支持される器具本体を備え、器具本体が道路の路面を照明する道路照明用の照明器具（以下、道路灯と言う）が知られている。また、器具本体の天面に複数のフィンを設けた照明器具も知られている（例えば、特許文献１参照）。
【先行技術文献】
【特許文献】
【０００３】
【特許文献１】実用新案登録第３１６９７８３号公報
【発明の概要】
【発明が解決しようとする課題】
【０００４】
しかしながら、器具本体の天面にフィンが設けられていると、枯葉や砂埃などの異物が天面に溜まり易くなる、という問題がある。
本発明は、器具本体の天面の異物が溜まり難くできる照明器具を提供することを目的とする。
【課題を解決するための手段】
【０００５】
本発明は、器具本体を支柱に支持し、前記器具本体が路面を照明する照明器具において、前記器具本体は、後方の端部よりも前方の端部が高くなる所定の仰角で前記支柱に支持され、前記器具本体の天面には、当該器具本体の幅方向に延びる複数のフィンが設けられ、前記フィンのそれぞれは、前記器具本体の器具中心軸に近い側の端部に対し遠い側の端部が前記器具本体の後方に位置する角度で前記器具中心軸に対して傾斜していることを特徴とする。
【０００６】
本発明は、上記照明器具において、前記器具本体の天面は、平らな表面を有し、当該表面に複数の前記フィンが設けられている、ことを特徴とする。
【０００７】
本発明は、上記照明器具において、前記表面には、前記器具中心軸を挟み隙間をあけた両側のそれぞれに、複数の前記フィンが前後方向に互いに平行に並べて設けられている、ことを特徴とする。
【０００８】
本発明は、上記照明器具において、前記器具本体の天面は、上方に突出した突出部を前記表面の後方に備え、前記突出部と前記表面との境の壁面が、前記器具本体の幅方向に延びている、ことを特徴とする。
【０００９】
本発明は、上記照明器具において、半導体光源を有する半導体光源ユニットを備え、前記表面の裏側に前記半導体光源ユニットが配置されている、ことを特徴とする。
【発明の効果】
【００１０】
本発明によれば、器具本体の天面に異物が溜まり難くなる。
【図面の簡単な説明】
【００１１】
【図１】本発明の実施形態に係る道路灯の側面図である。
【図２】道路灯を下方からみた斜視図である。
【図３】器具本体の筐体を下方からみた斜視図である。
【図４】アーム型の支柱に取り付けた道路灯の側面図である。
【図５】同道路灯を下方からみた斜視図である。
【図６】クランプの構成を示す斜視図である。
【図７】道路灯の平面図である。
【発明を実施するための形態】
【００１２】
以下、図面を参照して本発明の実施形態について説明する。
図１は本実施形態に係る道路灯１の側面図であり、図２は道路灯１を下方からみた斜視図である。
道路灯１は、器具本体２と、道路脇などに立設したポール型の支柱４の先端部に器具本体２を固定するクランプ６と、を備え、器具本体２が道路脇から道路の路面を所定の配光で照明する照明器具である。器具本体２は、前後に長い筐体８を備え、図２に示すように、筐体８の底面には、略矩形状の出射開口９が形成されており、この出射開口９は平板状の透明カバー１０で閉塞されている。クランプ６は、出射開口９よりも筐体８の後端部２Ｂに固定され、この後端部２Ｂで筐体８が支柱４に支持される。
【００１３】
図３は、筐体８を下方からみた斜視図である。
筐体８は、例えばアルミダイキャスト等で成型された鋳物である。筐体８の内部には、壁１５によって底面視矩形状に区画された光源室１２が前端部２Ｆの側に形成されている。この光源室１２の前端部２Ｆの側には、略矩形の平面に区画された光源配置スペース１２Ａが設けられ、この光源配置スペース１２Ａの後方の側には回路配置スペース１２Ｂが設けられている。図２に示すように、光源配置スペース１２ＡにはＬＥＤユニット１４が配置され、回路配置スペース１２Ｂには回路ユニット１６が配置される。
【００１４】
図２に示すように、ＬＥＤユニット１４は、略矩形のＬＥＤ基板１８と、このＬＥＤ基板１８に実装された多数のＬＥＤ２０を有し、各ＬＥＤ２０から光を放射する半導体光源ユニットであり、ＬＥＤ基板１８が光源配置スペース１２Ａの表面１２ＡＳ（図３）にねじ止め固定される。
回路ユニット１６は、略直方体のユニットケース２２を有し、このユニットケース２２に、ＬＥＤ２０の点灯制御回路や電源回路などの各種回路が内蔵される。なお、回路ユニット１６は、支柱４といった器具本体２の外部に設けられてもよい。
【００１５】
図３に示すように、光源室１２の回路配置スペース１２Ｂは、光源配置スペース１２Ａよりも上方に凹み、この凹みにＬＥＤユニット１４よりも大きな高さの回路ユニット１６が収められることで、出射開口９の内側に回路ユニット１６が収められている。図１に示すように、筐体８の天面８Ａは、光源配置スペース１２Ａの凹みによって上方に突出した突出部３０を有し、この突出部３０は、筐体８の後端部２Ｂまで高さを変えることなく連続して形成されている。この突出部３０により、筐体８には、光源室１２の後方に、比較的広い空間のクランプ収容室３２が形成される。このクランプ収容室３２には、複数のボス４６が設けられており、これらのボス４６にクランプ６がねじ止め固定される。このクランプ収容室３２の底面部は、図２に示すように、底面板３４で閉塞されている。
【００１６】
ここで、この道路灯１は、図４、及び図５に示すように、同一のクランプ６を用いて、水平方向に延びるアーム型の支柱１０４にも器具本体２を支持可能に構成されている。
【００１７】
詳述すると、図６に示すように、クランプ６は、支柱４、１０４が挿入されてボルト４１（図１、図４）で固定される筒部４０と、器具本体２の筐体８に固定される固定部４２とを一体に備えている。固定部４２は、９０度よりも小さな角度αで折れた板状部材であり、筒部４０の軸４４に沿う第１板部４２Ａと、筒部４０の先端部を覆う第２板部４２Ｂとを有している。これら第１板部４２Ａ、及び第２板部４２Ｂのいずれか一方が、取付対象の支柱４、１０４に応じて、筐体８のクランプ収容室３２のボス４６に固定される。
【００１８】
具体的には、器具本体２の取付対象がポール型の支柱４である場合、固定部４２の第２板部４２Ｂをボス４６に固定し、筒部４０を上下方向に延ばして、当該筒部４０を支柱４の先端部に挿入する。一方、器具本体２の取付対象がアーム型の支柱１０４である場合、固定部４２の第１板部４２Ａをボス４６に固定し、筒部４０を水平方向（前後方向）に延ばして、支柱１０４の先端部に挿入する。
これにより、同一のクランプ６を用いて、ポール型の支柱４、及びアーム型の支柱１０４のどちらにも器具本体２を支持することができる。
【００１９】
図１、及び図４に示すように、器具本体２は、前方に照明光を出射するために、水平面Ｈｍに対し、後端部２Ｂよりも前端部２Ｆが高くなる所定の仰角θで支柱４、１０４に支持されている。仰角θは、器具本体２と路面の位置関係によって適宜に設定され、一般的には５度〜２０度の範囲に設定される。本実施形態では、クランプ６の上述の角度αが、支柱４、１０４ごとに設定された仰角θに合わせて予め設定されている。これにより、設置現場では、器具本体２に固定したクランプ６を支柱４、１０４に取り付けることで、器具本体２が予め設定された仰角θで適切に設置される。
【００２０】
図７は、道路灯１の平面図である。
器具本体２の筐体８の天面８Ａには、上述の通り、後端部２Ｂの側に突出部３０が設けられている。また天面８Ａは、図１、及び図４に示すように、突出部３０よりも前端部２Ｆの側の表面５０の全面が平らに形成されている。この表面５０は、筐体８の出射開口９の開口面と略平行であり、器具本体２の設置時には、この器具本体と同じ仰角θで表面５０も水平面Ｈｍに対して傾斜することになる。
【００２１】
また、この表面５０は、筐体８の光源室１２に対応し、その裏面にはＬＥＤユニット１４が取り付けられ、ＬＥＤユニット１４の発熱が直接的に表面５０に伝わる。この表面５０には、多数のフィン５２が設けられており、表面５０からのＬＥＤユニット１４の放熱が促進されている。
これらのフィン５２は、アルミダイキャスト等の鋳造により筐体８に一体に成型されており（すなわち、筐体８はフィン５２を備えた鋳物であり）、個々のフィン５２の厚みＴが薄すぎたり、高さＨ（図１）が高すぎたりすると、鋳造時にフィン５２に破損が生じ易くなり、歩留まりが悪くなる。このため、個々のフィン５２は、厚みＴが約５ｍｍに抑えられ、また、高さＨが７ｍｍに抑えられている。
【００２２】
またフィン５２は、器具本体２の左右方向に延在し、このフィン５２が器具本体２の前後方向に略一定の間隔で互いに平行に設けられてフィン群５４が構成されている。表面５０には、このフィン群５４が器具中心軸Ｋを挟み隙間５６をあけた左右両側のそれぞれに形成されている。なお、器具中心軸Ｋは、器具本体２の左右の幅方向の中心に沿って前端部２Ｆから後端部２Ｂにかけて延びる線である。
【００２３】
フィン群５４の各フィン５２は、平面視において、器具中心軸Ｋに近い側の端部５２Ａに対し遠い側の端部５２Ｂが後方の後端部２Ｂの側に位置するように、当該器具中心軸Ｋに対して角度βで傾斜している。この角度βは、９５度〜１７５度の範囲で設定され、１００度〜１２０度の範囲に設定されることが好ましい。
一方、上述の通り、器具本体２の設置状態では、表面５０が仰角θで傾斜し（図１）、前端部２Ｆの側が後端部２Ｂの側よりも高くなっている。
これにより、平らな表面５０であっても、この表面５０に降り注いだ雨水が各フィン５２の傾斜に沿って右側端２Ｒ、又は左側端２Ｌに向かって流れ、これら右側端２Ｒ、及び左側端２Ｌからスムーズに流れ落ちるようになる。
したがって、表面５０に枯葉や砂埃などの異物がフィン５２の間に溜まったりした場合でも、異物が雨水と一緒に器具本体２から流れ落ちるので、フィン５２が設けられた表面５０に異物が溜まり難くなる。また、フィン５２への異物の残留が抑えられるので、フィン５２の放熱性能の低下が抑えられる。また器具本体２の前端部２Ｆの雨水は右側端２Ｒや左側端２Ｌ、後端部２Ｂに流れるので、器具本体２の前端部２Ｆの直下の車両等に雨水がかかり、汚れることが抑制される。
【００２４】
表面５０には、左側、及び右側のフィン群５４の間に、器具中心軸Ｋに沿って前端部２Ｆから後端部２Ｂに亘って延びる上記隙間５６が形成されており、表面５０の前端部２Ｆの側の雨水は、隙間５６を通って後端部２Ｂの側の各フィン５２にも至るようになる。これにより、器具本体２の右側端２Ｒ、及び左側端２Ｌに向かう雨水を、その前後方向に分散させることができ、前後方向に並んだ各フィン５２の間を雨水で効率良く洗い流すことができる。
【００２５】
また天面８Ａにおいて、突出部３０は、表面５０との境に壁面３０Ａを有し、この壁面３０Ａが器具本体２の左右の幅方向に亘って延在している。これにより、前端部２Ｆの側から隙間５６を通って突出部３０に至った雨水は、当該突出部３０の壁面３０Ａに沿って、器具本体２の右側端２Ｒ、及び左側端２Ｌから流れ落ちるので、この雨水と一緒に、表面５０と突出部３０との境に溜まった異物を流し落とすことができる。
なお、壁面３０Ａを、フィン５２と同様に、平面視において、器具中心軸Ｋに近い側よりも、器具本体２の右側端２Ｒ、及び左側端２Ｌに近い側が後方に位置するように、当該器具中心軸Ｋに対して傾斜させてもよい。
【００２６】
上述した実施形態によれば、次のような効果を奏する。
【００２７】
本実施形態の道路灯１は、器具本体２が、後端部２Ｂよりも前端部２Ｆが高くなる仰角θで支柱に取り付けられている。また、この器具本体２の天面８Ａには、当該器具本体２の左右の幅方向に延びる複数のフィン５２が、器具中心軸Ｋに近い側の端部５２Ａに対し遠い側の端部５２Ｂが後端部２Ｂの側に位置する角度βで器具中心軸Ｋに対して傾斜して設けられている。
これにより、天面８Ａに降り注いだ雨水が各フィン５２の傾斜に沿って、器具本体２の左右の右側端２Ｒ、又は左側端２Ｌに向かって流れ、これら右側端２Ｒ、及び左側端２Ｌからスムーズに流れ落ちる。
したがって、フィン５２に枯葉や砂埃などの異物が溜まった場合でも、異物が雨水と一緒に器具本体２から流れ落ちるので、フィン５２が設けられた天面８Ａに異物が溜まり難くなり、また、異物によるフィン５２の放熱性能の低下も抑えられる。
【００２８】
本実施形態の道路灯１は、器具本体２の天面８Ａが、平らな表面５０を有し、当該表面５０に複数の上述のフィン５２が設けられた構成となっている。
この構成によれば、器具本体２の天面８Ａが平らな表面５０を有するため、当該表面５０が膨出するような曲面を描く場合に比べ、器具本体２の容積が減り、小型化、軽量化、及び低コスト化できる。また、この表面５０に上述のフィン５２が設けられることで、平らな表面５０であっても、雨水を器具本体２の右側端２Ｒ、及び左側端２Ｌからスムーズに流れ落とすることができる。
【００２９】
本実施形態の道路灯１の上記表面５０には、器具中心軸Ｋを挟み隙間５６をあけた両側のそれぞれに、複数のフィン５２が前後方向に互いに平行に並べて設けられている。これにより、器具本体２の右側端２Ｒ、及び左側端２Ｌに向かう雨水を、その前後方向に分散させることができ、前後方向に並んだ各フィン５２の間を雨水で効率良く洗い流すことができる。
【００３０】
本実施形態の道路灯１では、天面８Ａが、上方に突出した突出部３０を表面５０の後方に備え、突出部３０と表面５０との境の壁面３０Ａが、器具本体２の幅方向に延びている。
これにより、前端部２Ｆの側から隙間５６を通って突出部３０に至った雨水が、当該突出部３０の壁面３０Ａに沿って、器具本体２の右側端２Ｒ、及び左側端２Ｌから流れ落ちることとなり、この雨水と一緒に、表面５０と突出部３０との境に溜まった異物を流し落とすことができる。
【００３１】
本実施形態の道路灯１では、表面５０の裏側にＬＥＤユニット１４が配置されているので、表面５０に設けられたフィン５２からＬＥＤユニット１４の熱を効率良く放熱できる。
【００３２】
なお、上述した実施形態は、あくまでも本発明の一態様の例示であり、本発明の主旨を逸脱しない範囲において任意に変形、及び応用が可能である。
【００３３】
上述した実施形態では、フィン５２が、平面視において、器具本体２の幅方向に直線状に延びる形状を例示した。しかしながら、フィン５２に沿った水の流れが阻害されない限りにおいて、フィン５２は例えば平面視弓形などの直線以外の形状でもよい。
また、フィン５２が前後方向に等間隔に配置されている構成を例示したが、配置間隔は適宜に変更してもよい。
また、器具中心軸Ｋを挟み隙間５６をあけて左右両側のそれぞれにフィン群５４を形成した場合を例示したが、これに限らず、左右のフィン群５４が適宜に連結されてもよい。
【００３４】
上述した実施形態では、半導体光源ユニットとして、ＬＥＤユニット１４を例示したが、これに限らず、有機ＥＬ等の他の半導体光源を用いることもできる。
【００３５】
本発明は、器具本体が仰角θを有して支持される屋外照明用の照明器具に広く適用することができる。
【符号の説明】
【００３６】
１  道路灯（照明器具）
２  器具本体
２Ｂ  後端部
２Ｆ  前端部
２Ｌ  左側端
２Ｒ  右側端
４、１０４  支柱
６  クランプ
８  筐体
８Ａ  天面
１４  ＬＥＤユニット（半導体光源ユニット）
１８  ＬＥＤ基板
２０  ＬＥＤ（半導体光源）
３０  突出部
３０Ａ  壁面
５０  表面
５２  フィン
５２Ａ、５２Ｂ  フィンの端部
５６  隙間
Ｋ  器具中心軸
θ  仰角
【図１】
2019012591.tif 000003
【図２】
2019012591.tif 000004
【図３】
2019012591.tif 000005
【図４】
2019012591.tif 000006
【図５】
2019012591.tif 000007
【図６】
2019012591.tif 000008
【図７】
2019012591.tif 000009